(57)【要約】【課題】香料および蓄光材を含有するインクで印刷された印刷物を提供する。【解決手段】基材である貼り付けシールの台紙１１の上に、香料を含有するインクで印刷した第１の印刷部１２と、蓄光材を含有するインクで印刷した第２の印刷部１３とを形成する。そして、貼り付けシールの台紙１１を、例えば、小物や雑貨に貼り付ける。そして、貼り付けシールの印刷面を軽く擦ると第１の印刷部１２から香りが出る。また、第２の印刷部１３の蓄光材は、昼間に光エネルギーを蓄積し、夜間にそのエネルギーを放出して、視認できる光を発する。これにより、本考案に係る印刷物１０は、さまざまな分野に応用することができる。【選択図】図１
0003125293.tif 000002
【実用新案登録請求の範囲】
【請求項１】
基材と、
上記基材の表面に設けられ、香料を含有するインクで印刷された第１の印刷部と、
上記基材の表面に設けられ、蓄光材を含有するインクで印刷された第２の印刷部とを備えた印刷物。
【請求項２】
上記第１の印刷部および上記第２の印刷部の上には紫外線吸収剤を含有する透明の保護層が積層された請求項１に記載の印刷物。
【考案の詳細な説明】
【技術分野】
【０００１】
この考案は印刷物、例えば、小物または雑貨に印刷またはその本体に貼り付けるシールに印刷される印刷物の技術に関する。
【背景技術】
【０００２】
例えば、特許文献１には、印刷物の用紙に香水等をしみ込ませて、利用者がその印刷物を手にした時に芳香を感じるようにした雑誌、カレンダー、ダイレクトメール等が開示されている。
また、蓄光材を含有するインクで印刷された印刷物が多数開示されている。その蓄光材は、蓄えたエネルギーを光として放出する物質である。蓄光材は、印刷物だけではなく、今様々な分野で商品化が進められている。例えば、道路の白線、災害対策としてのビルの非常口や避難誘導などの標識類を始め、アクセサリー、クラフト、繊維にも応用されている。
【特許文献１】特開平９−３４３６４号公報
【考案の開示】
【考案が解決しようとする課題】
【０００３】
しかし、香料を含有するインクで印刷された印刷物では、夜間において、どこに印刷物が貼り付けてあるのか分からない場合が生じる。
また、香料を含有するインクで印刷された印刷物であっても、太陽や雨の影響を受けて、香料のインクが落ちたりする。すなわち、雨などで香料のインクが流れて、香りが出なくなってしまう。
【０００４】
次に、蓄光材から光を放出しても、その放出する光の輝度が小さいと、目の悪いお年寄りや身体障害者などが視認できない場合が生じる。したがって、視覚だけでなく、嗅覚などで判断できる印刷物であれば便利である。
また、蓄光材を含有するインクで印刷された印刷物であっても、昼間の天気が悪い場合にエネルギーを吸収できなくなり、夜になって放出するエネルギーが少ない場合もある。しかも、太陽や雨の影響を受けて、蓄光材のインクが落ちたりする。
【０００５】
そこで、本願考案者は、鋭意努力した結果、香料を含有するインクで印刷された第１の印刷部と、蓄光材を含有するインクで印刷された第２の印刷部とを備えた印刷物とすれば、さまざまな分野で利用できることを知見し、この考案を完成させた。
【０００６】
この考案は、香料を含有するインクで印刷され、かつ、蓄光材を含有するインクでも印刷された印刷物を提供することを目的としている。
また、この考案は、視覚だけでなく、嗅覚でもその存在を認識および判断できる印刷物を提供することを目的としている。
さらに、この考案は、太陽または雨に曝されていても、その効果を持続できる耐候性を備えた印刷物を提供することを目的としている。
【課題を解決するための手段】
【０００７】
請求項１に記載の考案は、基材と、上記基材の表面に設けられ、香料を含有するインクで印刷された第１の印刷部と、上記基材の表面に設けられ、蓄光材を含有するインクで印刷された第２の印刷部とを備えた印刷物である。
【０００８】
印刷物として、例えば、貼り付けシールが挙げられる。または、絵画、ポスター、名刺、はがき、カタログ、グリーティングカードまたはチケットなどでもよい。また、乗り物や建物の壁面や廊下に貼り付けられるポスター、案内板または表示板でもよい。
さらに、貼り付けるシールは、例えば、小物や雑貨に貼り付けるものである。小物または雑貨としては、例えば、うちわ、帽子、ウィンドブレーカまたはメガホンなどが挙げられる。
印刷物の基材の素材は限定されない。例えば、紙、金属、合成樹脂または貼り付けシールの台紙でもよい。合成樹脂は、例えば、塩化ビニルやプラスチックの板材などが挙げられる。また、基材は小物や雑貨の本体そのものでもよい。
さらに、基材には、文字、数字、イラストなどが施されてもよい。その印刷方法は限定されない。
【０００９】
第１の印刷部のインクに含まれる香料の種類は限定されない。香りの種類としては、桃、レモン、リンゴなどの果物でもよい。または、ラベンダーや梅などの花や植物の香りでもよい。香りは、自然界にあるものでもよく、化学的に合成されたものでもよい。また、インクには、一種類の香りのみならず、複数種類の香りが混合されたものが含まれていてもよい。
香料を含有するインクとして、例えば、マイクロカプセルをブレンドしたインクが挙げられる。
このマイクロカプセルをブレンドしたインクで印刷された印刷物は、そのままの状態でも香りを出すことができ、自然にマイクロカプセルが破れてほのかに香りを出すことができる。さらに、指先で軽く擦れば、マイクロカプセルが壊れて強く香りを出すことができる。このタイプはスクラッチタイプである。
または、２つに折ってある印刷物を手で剥がすことにより、マイクロカプセルが開き、香りを出すタイプ（バースティングタイプ）がある。この印刷物は、香料をマイクロカプセルに封じ込めたものをインク化し、これに糊をブレンドしたものを、２つに折った貼り付け面に糊付けしたものである。
第１の印刷部のインク層は、香料を含むインクなので無色であるが、有色でもよい。例えば、オレンジの香りを出すインクの場合、そのインクがオレンジ色を有してもよい。
【００１０】
第２の印刷部のインクに含まれる蓄光材としては、硫化物または酸化物の２種類がある。硫化物として、酸化亜鉛に銅を結合させたものがある。また、酸化物として、アルミン酸ストロンチウムに他の金属を結合したものがある。
蓄光材の色としては、例えば、パープル、イエローグリーン、ブルーの３色である。グリーンの方は、初期輝度が高く、ブルーは残光時間が非常に長い。
蓄光材は、単色でも複数色でもよい。複数色の場合、多層の蓄光材が必要である。
また、蓄光材が蓄える光量は限定されない。通常、自然光で略１０分、４０Ｗの蛍光灯で略３０分である。蓄光材は、短時間でかつ身近な明かりでエネルギーを得ることができる。すなわち、蓄光材は、夜間照明灯などにより蓄電でき、暗がりに移動した際に蓄電したエネルギーを放出して発光を行い、それらを繰り返しして動作を行うことができる。
さらに、蓄光材の発光時間も限定されない。最近では９時間から１２時間発光する製品もある。
【００１１】
基材上に設けられる第１の印刷部および第２の印刷部が積層される順番は限定されない。基材上に、まず、第１の印刷部が設けられ、第２の印刷部が設けられていてもよいし、またはその逆でもよい。なお、第１の印刷部の上に、第２の印刷部が積層されたり、または、第２の印刷部の上に、第１の印刷部が積層されたりしない。例えば、第１の印刷部の上に第２の印刷部を積層すると、被われた第２の印刷部が蓋となり、第１の印刷部から印刷物の外方に香りを出すことが困難となるからである。
また、第１の印刷部および第２の印刷部の形成方法は限定されない。例えば、スクリーン印刷またはオフセット印刷でもよい。
さらに、第１の印刷部および第２の印刷部の厚みは限定されない。
【００１２】
請求項１に記載の考案によれば、例えば、基材である貼り付けシールの台紙の上に、香料を含有するインクで印刷した第１の印刷部と、蓄光材を含有するインクで印刷した第２の印刷部とを形成する。次いで、貼り付けシールの台紙を、例えば、小物や雑貨に貼り付ける。この後、貼り付けシールの印刷面から香りを出すことができる。また、貼り付けシールの印刷面を軽く擦れば、第１の印刷部から香りを強く出すことができる。さらに、第２の印刷部の蓄光材は、昼間に光エネルギーを蓄積し、夜間にそのエネルギーを放出する。これにより、夜間または暗い場所において、蓄光材の文字や図形などを視認することができる。貼り付けシールとして使用すれば、第１の印刷部の香料により人にほどよい香りを与えることができるとともに、第２の印刷部の蓄光材によりその貼り付けシールを貼り付けた場所を容易に特定することができる。
【００１３】
本考案に係る印刷物は、上記貼り付けシールのように、さまざまな分野に応用することができる。うちわの本体に貼り付ける貼り付けシールを使用する場合を例とする。
まず、貼り付けシールに、香料を含むインクで第１の印刷部を形成しておき、また、蓄光材を含むインクで第２の印刷部を形成しておく。そして、この貼り付けシールを、うちわ本体部であって、その本体の中心より把手とは反対側の周縁部に貼り付ける。貼り付けシールを貼り付けた後、そのシールの表面の香料を含むインクで印刷された第１の印刷部から香りを出すことができる。また、その第１の印刷部の表面を指で擦ると、第１の印刷部のインクに含まれるマイクロカプセルが壊れる。これにより、うちわの本体より香りを強く出すことができる。夏の暑いときに、そのうちわからミントやハーブなどの涼しい香りを出せば、そのうちわで清涼感を与えることができる。
また、貼り付けシールには、蓄光材で文字などが描かれている。そして、蓄光材のインクで印刷された第２の印刷部を備えたうちわを使用すると、夜間においてあおぐことにより、周りの人に光のウェーブを見せることができる。
【００１４】
請求項２に記載の考案は、上記第１の印刷部および上記第２の印刷部の上には紫外線吸収剤を含有する透明の保護層が積層された請求項１に記載の印刷物である。
第１の印刷部および第２の印刷部の上に積層される保護層には、紫外線を吸収する紫外線吸収剤を含有している。紫外線吸収剤の素材は限定されず、例えば、ベンゾフェノン系、ベンゾトリアゾール系、サリチル酸などが挙げられる。
また、保護層の厚みも限定されない。
さらに、保護層は、ＵＶカットフィルムのように、貼り付けフィルムの形態をとってもよい。
また、特に、第１の印刷部は、香料を含有するインクで印刷されているため、その上に保護層を積層すると、その保護層が蓋となり、その第１の印刷部から香りが出なくなってしまう。そこで、保護層に微小な貫通孔を設けておくと、その貫通孔から印刷物の外方に香りを出すことができる。
【００１５】
請求項２に記載の考案によれば、上記第１の印刷部または上記第２の印刷部の上には紫外線吸収剤を含む保護層が積層されている。すなわち、第１の印刷部および第２の印刷部は、その保護層により紫外線の照射を受けにくくなる。これにより、印刷物の耐候性が増す。また、その保護層により、雨や太陽の光を受けても、第１の印刷部の香りが落ちたり、第２の印刷部の蓄光材の蓄光力が劣化したりしにくくなる。
なお、保護層は透明である。透明でないと、蓄光材を含むインクで印刷された部分が見えなくなるからである。また、蓄光材を含まない印刷部分の保護層は透明でなくてもよい。
【考案の効果】
【００１６】
この考案によれば、例えば、基材である貼り付けシールの台紙の上に、香料を含有するインクで印刷した第１の印刷部と、蓄光材を含有するインクで印刷した第２の印刷部とを形成する。次に、貼り付けシールの台紙を、例えば、小物や雑貨に貼り付ける。そして、貼り付けシールの印刷面から香りを出すことができる。また、印刷面を軽く擦れば、第１の印刷部から香りを強く出すことができる。さらに、第２の印刷部の蓄光材は、昼間に光エネルギーを蓄積し、夜間にそのエネルギーを放出する。これにより、夜間または暗い場所において、蓄光材の文字や図形などを視認することができる。貼り付けシールとして使用すれば、香料により人にほどよい香りを与えることができるとともに、蓄光材によりその貼り付けシールを貼り付けた場所を容易に特定することができる。
本考案に係る印刷物は、上記貼り付けシール以外にも、さまざまな分野に応用することができる。
【考案を実施するための最良の形態】
【００１７】
以下、この考案の実施例を具体的に説明する。
【実施例１】
【００１８】
以下、この考案の実施例を図１〜図２を参照して説明する。
まず、本願考案に係る印刷物１０の構造について説明する。
図１は、本願考案に係る印刷物１０の構造を示している。図１に示すように、本願考案に係る印刷物１０は、基材１１上に、香料を含有するインクで印刷された第１の印刷部１２と、蓄光材を含有するインクで印刷された第２の印刷部１３とを備えたものである。
基材１１は、例えば、紙、金属または貼り付けシールの台紙などである。この台紙には、イラストや絵または情報伝達用の文字が印刷されている。
【００１９】
そして、印刷が施された台紙の上に、第１の印刷部１２が配設される。この第１の印刷部１２は香料を含有するインクで印刷されたものである。香料を含むインクとは、通常のインク（顔料、水、油などを基本成分とする）に香料を含んだものである。そのインクに含まれる香料としては、例えば、桃やレモンなどの果物の香りを含むものである。または、ハーブや梅の植物の香りでもよい。例えば、香料を含むインキとしては、株式会社日本カプセルプロダクツ社製のもの（商品名：香料マイクロカプセル）が使用される。上記香料は、直径が略２０〜５０ミクロンのマイクロカプセル内に封じ込まれている。香料印刷部（第１の印刷部)からは、通常の状態でも香りが出てくるし、マイクロカプセルが自然に破れてほのかに香りが出てくる。香料印刷部を指先軽く擦ったりすると、香りを強く出すことができる。
【００２０】
次に、上記台紙の上には、蓄光材を含有するインクで印刷された第２の印刷部１３が設けられる。蓄光材を含有するインクとは、水、油などを基本成分とするものに蓄光材顔料を含んだものである。蓄光材としては、酸化物または硫化物の２種類がある。しかし、酸化物の方が有害物を含んでいないので、こちらの方がよく使用される。酸化物の蓄光材として、例えば、アルミン酸ストロンチウムに他の金属を結合させたものが用いられる。または、酸化アルミニウムを母体とし、他の酸化物と希土類元素などが結合されたものもある。例えば、蓄光材を含むインキとしては、帝国インキ製造株式会社製のもの（商品名；蓄光インキ）が使用される。
なお、第２の印刷部１３は、第１の印刷部１２とは重ならないように設けられる。
【００２１】
さらに、第１の印刷部および第２の印刷部の上に、紫外線吸収剤を含有する保護層１４が積層される。紫外線吸収剤は、例えば、ベンゾフェノン系が使用される。この保護層１４を設けることにより、第１の印刷部１２および第２の印刷部１３の耐候性が増す。すなわち、印刷物１０が太陽光または雨に曝されていても、第１の印刷部１２のインクの香りが落ちたり、第２の印刷部１３の蓄光材の蓄光量が落ちたりしない。
なお、第１の印刷部１２の上に保護層１４を積層すると、その第１の印刷部１２からの香りが出ない場合もある。そこで、図１に示すように、微小な貫通孔１５を保護層１４に設けることにより、その第１の印刷部１２から香りを出すようにしてもよい。
【００２２】
次に、本願考案に係る印刷物１０の製造方法について説明する。
まず、貼り付けシールの台紙を準備する。この貼り付けシールの台紙には、文字、絵画、イラストが印刷されている。
次いで、この台紙上に第１の印刷部１２が設けられる。第１の印刷部１２は、香料を含有するマイクロフィルムをブレンドしたインクで印刷される。印刷はスクリーン印刷方式により行われる。すなわち、ナイロン、テトロン、ステンレスなどの織物（スクリーン）にレジストでパターンを形成し、インクをスクリーンの開口部から押し出す方式である。  なお、印刷は、オフセット印刷方式を使用してもよい。
次に、第１の印刷部１２の上に、蓄光材を含有するインクを用いて第２の印刷部が印刷される。この第２の印刷部１３は、上記スクリーン方式を用いて印刷される。
最後に、第１の印刷部１２および第２の印刷部１３の上に紫外線吸収剤を含有する保護層１４を積層し、印刷物１０を完成させる。
【００２３】
次に、本願考案に係る印刷物１０の用途について説明する。
上記製造方法で製造された印刷物１０は、様々な物に貼り付ける貼り付けシールに適用することができる。
例えば、動物が嫌がる香料を含有するインクと、蓄光材を含有するインクとで印刷されたシールを準備する。これを、例えば、鳩、野良犬、野良猫などが近づかないように、家周りなどに貼り付けておく。これにより、鳩、野良犬、野良猫の糞害などを防止することができる。また、蓄光材のインクで印刷された印刷面により、何処にシールを貼り付けたのかが分かる。
【００２４】
また、本願考案に係る印刷物１０の貼り付けシールをトイレの壁に貼り付ければ、夜中にトイレに行った時、電気を点けなくても、そのトイレの場所を知ることができる。また、夜中にトイレに行く場合、電気を点けると、その電気の光が眩しく感じ、眠気がとれてしまうことがある。しかし、蓄光材のインクで印刷されたシールを貼り付ければ、電気を点けなくてもよい。蓄光材から放出する光は、人間が眩しく感じる程の輝度を有していないが、場所の特定は容易である。
さらに、芳香剤や消臭剤を含むインクで印刷されたシールを貼り付ければ、トイレ内を消臭する消臭効果を得ることができる。
【００２５】
さらに、本願考案に係る印刷物１０は、ホテルや旅館などの廊下、エレベータに貼り付けることができる。そして、通常時には、芳香剤として使用でき、旅行客に清潔感を与えることができる。一方、災害時や停電時には、その廊下では、蓄光材による避難路を表示しておき、エレベータ内では、その対処方法を表示しておく。これにより、災害などが発生した場合においても、パニックになりにくくすることができる。床面に蓄光材が配設されていると、火災のとき、上方に上がる煙の影響を受けずに、避難路の表示などが確認できる。
【００２６】
さらに、本願考案に係る印刷物１０は、小物や雑貨にも適用することができる。小物または雑貨として、例えば、うちわ、ウィンドブレーカ、メガホン、チケットなどが挙げられる。
図２に示すように、本願考案に係る印刷物は、うちわ２０の本体部分に貼り付ける貼り付けシール１６として使用することができる。具体的には、まず、蓄光材および香料を含有したインクで印刷した貼り付けシール１０（印刷物）を準備する。そして、この貼り付けシール１０を、うちわ２０の本体部であって、本体中心より把手２１側とは反対の周縁部に貼り付ける。貼り付けた後、貼り付けシール１０の表面の香料の含むインクで印刷された第１の印刷部１２を指で擦る。これにより、第１の印刷部１２のマイクロカプセルが壊れ、うちわ２０の本体より香りを出すことができる。夏の暑いとき、涼しい香りを出すハーブなどの香りを出せば、そのうちわ２０で清涼感を与えることができる。図２に示すように、うちわの本体の周縁部に貼り付けシール１０を貼れば、顔に近いうちわ２０の本体部分から香りを出すことができる。
また、貼り付けシール１０には、第２の印刷部となる蓄光材で文字などが描かれている。その蓄光材で昼間に光エネルギーを蓄積しておき、夜間に蓄積された光エネルギーを放出することにより、文字が浮き出てくる。そして、蓄光材のインクで印刷された第２の印刷部１３を備えたうちわ２０を使用すると、夜間においてあおぐことにより、周りの人に光のウェーブを見せることができる。
また、うちわ２０を落とした場合でも、蓄光材により自分のものであることを表示しておけば、自分の持ち物であることがわかりやすい。
さらに、宣伝広告が印刷された貼り付けシール１０を、うちわ２０などに貼り付けて、拡販用として使用することもできる。
【００２７】
また、グリーティングカードなどに使用すると、受け取った人が表面の貼り付けシールを剥がすことにより、そのシールの糊付け部分に印刷されたマイクロカプセルが破れ、香りが出る。これにより、受取人に香りのメッセージを与えることができる。
また、上記糊付け部分内にメッセージを蓄光材で描いておき、受取人が夜間などの暗い場所で見るそのメッセージが、明るい場所で見るメッセージとは異なるようにしてもよい。
【００２８】
さらに、自動販売機において、電気による商品表示または値段表示を、深夜になれば蓄光材による表示に変更する。これにより、節電効果を高めることができる。これを全国規模で実施すれば、資源削減などの効果が得られる。また、香りを出すように自動販売機に印刷を施せば、購入者の購買意欲を高めることもできる。
【００２９】
さらに、夜行われる祭りやスポーツなどのイベントにおいて、スタッフや大会関係者などのジャンパーやプラカードなどに蓄光材で文字や案内などを表示しておく。これにより、観客にとって、スタッフが遠くにいても、または、スタッフなどが明るい場所から暗い場所に移動しても、そのスタッフの表示などを認識することが容易になる。
また、上記表示は香料を含むインクで印刷されているので、そのスタッフが汗をかいても、香料により周りの観客などに迷惑をかけにくい。
【００３０】
さらに、災害が発生したとき、救助隊または救助スタッフが暗闇または煙の中を歩くときに、蓄光材で表示できるようにしておくと分かりやすい。また、その救助隊などが二重遭難したとき、香料により救助犬が発見しやすい。
【図面の簡単な説明】
【００３１】
【図１】この考案の実施例１に係る印刷物の構成を示す断面図である。
【図２】この考案の実施例１に係る印刷物を利用した一態様を示す斜視図である。
【符号の説明】
【００３２】
１０  印刷物（貼り付けシール）、
１１  基材、
１２  第１の印刷部、
１３  第２の印刷部、
１４  保護層。
【図１】
0003125293.tif 000003
【図２】
0003125293.tif 000004